(57)【特許請求の範囲】
【請求項１】
脚支柱の上端にベースを固定し、前記ベースで座と背もたれと肘掛け装置とを支持して成る椅子であって、
前記ベースにはその左右両側方に開口した肘取り付け穴が空いている一方、前記肘掛け装置は、前記ベースの肘取り付け穴に嵌まる挿入部とこの挿入部の基端から下向きに突出しかつ前記ベースの外側面に重なる張り出し部とを有しており、前記張り出し部をこれに側方から挿通したねじで前記ベースの外側面に締結している、
椅子。
【請求項２】
前記ベースにおける左右の肘取り付け穴は互いに連通しており、このため、左右の肘掛け装置の挿入部を互いに密着または近接する状態に深く嵌め込むことが可能ならしめられている、
請求項１に記載した椅子。
【請求項３】
前記ベースは、上向きに開口したベース本体と、前記肘掛け装置の挿入部に上方から重なる状態でベース本体の内部に配置された第１金具と、前記肘掛け装置の挿入部に下方から重なる状態でベース本体の内部に配置された第２金具とを備えており、前記第１金具と第２金具とはベース本体に固着されている一方、
前記脚支柱の上端部はブッシュに嵌まっており、前記ブッシュを前記ベース本体と第１金具とに固着している、
請求項１又は２に記載した椅子。
【発明の詳細な説明】
【技術分野】
【０００１】
本願発明は、肘掛け装置を有する椅子に関するものである。
【背景技術】
【０００２】
椅子において、肘掛け装置の取り付け構造は種々提案されている。その一例として特許文献１には、座板の下面に左右に開口したダクト状の支持部材を固着して、この支持部材に肘掛け装置の基端部を挿入することが開示されている。この特許文献１では、肘掛け装置の基端部にフックを設けており、基端部を支持部材に差し込み切るとフックが支持部材の係止手段に係合して、肘掛け装置が支持部材から抜け不能に保持される。
【先行技術文献】
【特許文献】
【０００３】
【特許文献１】実開平６−８２９５４号のＣＤ−ＲＯＭ
【発明の概要】
【発明が解決しようとする課題】
【０００４】
特許文献１では肘掛け装置の基端部が支持部材に深く入り込むため、高い支持強度を得ることができる利点がある。しかし、ダクト状の支持部材を別途用意してこれを座板に固着することになるため、支持部材は座板の下面から下向き突出しており、このため支持部材が露出して美感を損なう虞がある。
【０００５】
本願発明は、このような現状を改善すべく成されたものである。
【課題を解決するための手段】
【０００６】
請求項１の発明は、脚支柱の上端にベースを固定し、前記ベースで座と背もたれと肘掛け装置とを支持して成る椅子において、前記ベースにはその左右両側方に開口した肘取り付け穴が空いている一方、前記肘掛け装置は、前記ベースの肘取り付け穴に嵌まる挿入部とこの挿入部の基端から下向きに突出しかつ前記ベースの外側面に重なる張り出し部とを有しており、前記張り出し部をこれに側方から挿通したねじで前記ベースの外側面に締結している。
【０００７】
請求項２の発明は請求項１を具体化したものであり、この発明では、前記ベースにおける左右の肘取り付け穴は互いに連通しており、このため、左右の肘掛け装置の挿入部を互いに密着または近接する状態に深く嵌め込むことが可能ならしめられている。
【０００８】
請求項３の発明は請求項１又は２を具体化したものであり、この発明では、前記ベースは、上向きに開口したベース本体と、前記肘掛け装置の挿入部に上方から重なる状態でベース本体の内部に配置された第１金具と、前記肘掛け装置の挿入部に下方から重なる状態でベース本体の内部に配置された第２金具とを備えており、前記第１金具と第２金具とはベース本体に固着されている一方、前記脚支柱の上端部はブッシュに嵌まっており、前記ブッシュを前記ベース本体と第１金具とに固着している。
【発明の効果】
【０００９】
椅子のベースは座や背もたれを支持するという機能からして頑丈な構造になっており、本願発明の肘掛け装置は、頑丈な構造のベースに挿入部を嵌め込んでいることと、張り出し部がねじでベースに締結されていることとにより、肘掛け装置に大きな荷重が掛かってもしっかりと支持される。そして、肘取り付け穴はベース自体に設けたものであり、肘本体の挿入部はベースの内部に入り込むため、美感を損なうことはない（肘掛け装置を取付けない場合は肘取り付け穴はキャップで塞いでおけばよく、この場合も美感を損なうことない。）。
【００１０】
さて、肘掛け装置には、肘当ての高さが一定になっている固定型と肘当ての高さを調節できる可動型とがあり、固定型の場合は全体が一体構造になっており、可動型の場合は肘支柱を一体に又は別体に有する本体部に肘当てが高さ調節自在に取り付けられている。そして、固定型の場合は全体を合成樹脂製にしていることが殆どであり、また、可動型であっても本体部を合成樹脂製とすることが多い。
【００１１】
そして、合成樹脂はアルミダイキャストのような金属製に比べて強度が劣るが、本願発明を使用すると、挿入部を長くすることで単位面積当たりの荷重を分散できるため、挿入部を含む本体部が合成樹脂製であっても高い支持強度を確保できる。従って、本願発明は、肘掛け装置の全体又は本体部を樹脂製としている場合に、特に真価が発揮されると言える。
【００１２】
請求項２の構成を採用すると、左右の挿入部を深く嵌め込むことができるため、支持強度を一層高めることができる。この場合、実施形態に示すように、左右肘掛け装置の挿入部を連結ピンで一体に連結すると、左右の挿入部が互いに補強し合う状態になって支持強度を一層向上させることができる利点がある。
【００１３】
また、請求項３の構成を採用すると、脚支柱を取り付けるために必要な第１金具を利用して肘取り付け穴を構成できるため、部材点数を抑制してコストダウンに貢献できる。
【図面の簡単な説明】
【００１４】
【図１】実施形態に係る椅子の外観図で、（Ａ）は正面図、（Ｂ）は側面図である。
【図２】肘掛け装置を分離した状態での斜視図である。
【図３】ベースの分離斜視図である。
【図４】要部の斜視図、（Ａ）は上から見た図、（Ｂ）は下方から見た図である。
【図５】要部の分離斜視図である。
【図６】（Ａ）は肘掛け装置を取り付けた状態での斜視図、（Ｂ）はベースを後ろから見た斜視図である。
【図７】変形例を示す図である。
【発明を実施するための形態】
【００１５】
次に、本願発明の実施形態を図面に基づいて説明する。本願発明は事務用に多用されている回転椅子に適用している。以下の説明では方向を特定するため前後・左右の文言を使用するが、これは、椅子に普通に着座者した人を基準にして、着座者が向いた方向を前として定義している。正面視方向は着座者と相対向した方向であり、背面視方向は着座者を後ろから見た方向である。
【００１６】
(1).椅子の概略
図１，２に示すように、椅子は、脚支柱（ガスシリンダ）１のみを表示した脚装置、脚支柱１の上端に固定したベース２、ベース２の上方に配置した座３、座４の後ろに配置された背もたれ４を有している。ベース３には肘掛け装置５が取り付けられている。図１，２では肘掛け装置５は片方しか表示していないが、左右一対取り付けられる。
【００１７】
背もたれ５はバックフレーム６に背板（インナーシェル）７を固定した基本構造になっており、背板７の前面にクッション体８を張っている。バックフレーム６はベース２に後傾動可能に連結されており、背もたれ４が後傾するとこれに連動して座３は上昇しながら後退する。すなわち、座３は中間部材介してベース２に取り付けられており、座３はベース２に対して相対動する。これらのロッキング機構は本願発明と関連がないので説明は省略する。
【００１８】
肘掛け装置５は、正面視略Ｌ形の肘本体９と高さ調節自在な肘当て１０とを有している。肘本体９は左右横長のアーム部１１とその一端から上向きに延びた肘支柱１２を有しており、肘支柱１２に昇降体１３が高さ調節可能に装着されており、昇降体１３に肘当て１０を取り付けている。肘支柱１２とアーム部１１とは別部材からなっていても良い。
【００１９】
ベース２には、その左右外側に開口した肘取り付け穴１４が形成されている。他方、肘本体９のアーム部１１にはベース２の肘取り付け穴１４に嵌まり込む挿入部１５と、この挿入部１５の基端から下向きに突出してベース２の外側面に重なる張り出し部１６とが一体に形成されており、張り出し部１６がねじ１７でベース２に固定されている。以下、その詳細を説明する。
【００２０】
(2).要部の詳細
図３以下の各図に示すように、ベース２は、上向きに開口した箱形のベース本体１９と、ベース本体１９の内部のうち後ろ寄り部位に配置した１つの第１金具２０と、第１金具２０の前半部とベース本体１９との間に配置した左右一対の第２金具２１とを有している。これらは鋼板製である。第１金具２０は前後足片２２を有して側面視下向き開口コの字形に形成されており、足片２２に設けた規制片２３をベース本体１９の底板に空けた係合穴２４に嵌め込むことで位置決めされている。
【００２１】
第１金具２０はベース本体１９に溶接で固着されている。また、ベース本体１９の底板と第１金具２０とには同心の脚穴２５が空いており、脚穴２５にブッシュ２６を嵌め込んで、ブッシュ２６をベース本体１９と第１金具２０とに溶接している。ブッシュ２６には脚支柱１が下方から嵌着している。肘本体９の挿入部１５は、第１金具２０の前部で上向き移動不能に保持されている。
【００２２】
第２金具２１は、ベース２の内側面に重なる側板２１ａとその上端から内向きに延びる水平部とを有している。側板２１ａには内向きのバーリング部２７を形成してこれに雌ねじを形成している（ナットを溶接しても良い。）。第２金具２１の側板２１ａは、ベース本体１９に形成した角形の窓穴２８から外側に露出しており、窓穴２８を介してねじ１７をバーリング部２７にねじ込むことができる。第２金具２１の側板２１ａはベース本体１９の内面に溶接されている。
【００２３】
肘本体９の挿入部１５は第２金具２２で下方から支持されている。換言すると、第１金具２０と第２金具２１とにより、肘本体９の挿入部１５を上下から挟む抱持部が形成されており、この抱持部で肘取り付け穴１４の大部分が構成されている。左右の肘取り付け穴１４はベース２の空所を介して一連に連通している。また、ベース本体１９の窓穴２８のうち、第２金具２１の上面よりも上方の部分が肘取り付け穴１４を構成している。窓穴２８の内側縁には、内向きに突出したサイド規制片２９が折り曲げ形成されている。肘本体９の挿入部１５は、サイド規制片２９によっても前後ずれ不能に保持することが可能である。
【００２４】
第２金具２１のうち側板２１ａと反対側には下向き下片３１が形成されており、この下片３１は、ベース本体１９のランド部３２に形成した係合穴３３に嵌まっている。これにより、第１金具２０は高さが正確に規定されている。
【００２５】
第２金具２１には前後一対の上向き片２１ｂが形成されており、上向き片２１ｂで第１金具２１を下方から支持している。この上向き片２１ｂによって第１金具２０と第２金具２１との間隔が規定されていると共に、肘本体９の挿入部１５は前後ずれ不能に保持されている。また、上向き片２１ｂには上向き規制舌片３４を突設している一方、第１金具２０には上向き規制舌片３４が嵌まる係合穴３５を形成しており、このため第１金具２０と第２金具２１との相対位置が正確に規定されている。第１金具２０と第２金具２１とは溶接によって一体化している。
【００２６】
例えば図４（Ｂ）に示すように、肘掛け装置５における肘本体９の張り出し部１６は挿入部１５の基端から下方に大きく突出しており、この張り出し部１６に下方及び外側に開口した凹所３６を形成し、凹所３６にねじ１７の頭が隠れるように配慮している。また、挿入部１５にはその先端面に開口したピン穴３７が空いている。図３に示すように、ベース本体１９は、カバー４０によって下方から覆われている。
【００２７】
左右肘掛け装置５の挿入部１５は互いに接触するように深く嵌め込むことができ、かつ、そのように深く嵌め込むのが好ましい。この場合、挿入部１５がブッシュ１６と緩衝しないように位置に設定されていることは言うまでない。
【００２８】
(3).まとめ
以上のとおり、肘掛け装置５は、肘本体９の挿入部１５をベース２の肘取り付け穴１４に挿入してから、張り出し部１６に側方から挿通されたねじ１７を第２金具２１のバーリング部２７にねじ込むと言う簡単な作業により、ベース２にしっかりと固定される。この状態で挿入部１５は第１金具２０と第２金具２１とで上下から挟まれた状態になっていることと、張り出し部１６がベース２の外側面に重なっていることとにより、高い支持強度が確保される。
【００２９】
図６に一点鎖線で示すように、左右の肘掛け装置５の挿入部１５は、そのピン穴３７にピン３８を挿入することで一体に連結することができる。すると左右の挿入部１５が互いに補強し合って一体化した状態になるため、支持強度を一層向上させることができる。特に、左右の挿入部１５を互いに密着するか又は近接するように深く嵌め込んだ状態でピン３７で連結すると、両挿入部１５の一体感が高まって特に好適である。
【００３０】
また、挿入部１５は第１金具２０と第２金具２１とで構成された肘取り付け穴１４にしっかりと嵌まっており、肘掛け装置５に作用した荷重は主として挿入部１５に対するモーメントとして作用し、張り出し部１６をベース２の側面に押し付けるように作用するため、１本のみのねじ１７による締結であっても、肘掛け装置５をしっかりと固定することができる。
【００３１】
なお、肘掛け装置５を取り付けない場合は、肘取り付け穴１４はキャップ（図示せず）で塞がれている。肘本体９の挿入部１５は側面視で山形になっているが、単なる四角形に形成したりカマボコ形に形成したりすることも可能である。
【００３２】
(4).変形例（図７）
図７では変形例を示している。このうち（Ａ）は第２金具２１の変形例であり、左右の第２金具２１は互いに密着又は密接するように設定しており、かつ、先端部には下向き片２１ｄを形成している。また、側板２１ａの前後両端でかつ下端部にはベース２の下面に当接する補強片２１ａを一体に設けている。このため、側板２１ａを曲がり不能に保持でき、その結果、肘掛け装置５の支持強度が格段に高くなる。
【００３３】
図７（Ｂ）で示すのは、肘掛け装置５を取り付けないときに肘取り付け穴１４を塞ぐ蓋装置の例である。すなわち、この例では、ベース２の窓穴２７の箇所に、窓穴２７と連通した穴を有する蓋本体４２を嵌め込み、蓋本体４２に蓋板４３を着脱自在に装着している。蓋本体４２は、ベース２に係止するための係止爪４２ａ，４２ｂ，４２ｄを有している。蓋本体４２はベース２に常に装着されている。この蓋本体４２が取り付くベース２は図１〜図６の実施形態とは相違しており、下面には左右のフレームが固定されており、蓋本体４２はフレームと干渉しないように上向きに大きくえぐられている。
【００３４】
(4).その他
本願発明は、上記の各実施形態の他にも様々に具体化できる。例えば、ベースをダイキャスト品とすることも可能である。
【産業上の利用可能性】
【００３５】
本願発明は椅子に適用して有用性を発揮する。よって、産業上利用できる。
【符号の説明】
【００３６】
１  脚支柱
２  ベース
３  座
５  肘掛け装置
９  肘本体
１４  肘取り付け穴
１５  肘本体の挿入部
１６  肘本体の張り出し部
１７  ねじ
１９  ベース本体
２０  第１金具
２１  第２金具
２６  ブッシュ
３７  ピン穴
３８  連結ピン
【図１】
0005524537.tif 000002
【図２】
0005524537.tif 000003
【図３】
0005524537.tif 000004
【図４】
0005524537.tif 000005
【図５】
0005524537.tif 000006
【図６】
0005524537.tif 000007
【図７】
0005524537.tif 000008